(57)【要約】【課題】印刷による視覚効果の低下を抑える。【解決手段】画像処理装置は、複数の視点画像を、視点画像の数及びレンチキュラーレンズの幅に応じてそれぞれ分割し、各視点画像の分割画像を交互に配置する（ステップＳ２１）画像作成部を備えている。画像作成部は、分割画像の幅方向においてレンズ間境界又は視点間境界に接する画素が（ステップＳ２２；Ｙ、Ｓ２３；Ｙ）、印刷太りが生じる階調値を有する場合（ステップＳ２４；Ｙ）、分割画像の幅が印刷によって拡大すると判断する。画像作成部は、当該画素を補正して印刷太りが生じる階調値未満まで階調値を減じ（ステップＳ２５）、分割画像の幅を小さくする。【選択図】図７
2014041220.tif 000002
【特許請求の範囲】
【請求項１】
複数の視点画像を、視点画像の数及びレンチキュラーレンズの幅に応じてそれぞれ分割し、各視点画像の分割画像を交互に配置する画像作成部を備え、
前記画像作成部は、各分割画像の幅が印刷によって拡大するか否かを判断し、拡大すると判断された分割画像を補正して幅を小さくする、
画像処理装置。
【請求項２】
前記画像作成部は、印刷太りが生じる階調値を有し、前記分割画像の幅方向においてレンズ間境界に接する画素を補正し、当該画素の階調値を減じる、
請求項１に記載の画像処理装置。
【請求項３】
前記画像作成部は、印刷太りが生じる階調値を有し、前記分割画像の幅方向において視点間境界に接する画素を補正し、当該画素の階調値を減じる、
請求項１又は２に記載の画像処理装置。
【請求項４】
前記画像作成部は、印刷太りが生じる階調値未満まで前記階調値を減じる、
請求項２又は３に記載の画像処理装置。
【請求項５】
前記画像作成部は、前記階調値のすべてを減じる、
請求項２又は３に記載の画像処理装置。
【請求項６】
前記画像作成部は、隣接する他の分割画像の階調値に合わせて前記階調値を減じる、
請求項２又は３に記載の画像処理装置。
【請求項７】
前記画像作成部は、元の階調値と補正後の階調値の差分を、前記分割画像の幅方向中央に位置する画素に分配する、
請求項２〜６の何れか一項に記載の画像処理装置。
【請求項８】
前記画像作成部は、色毎に減じる階調値を調整する、
請求項２〜７の何れか一項に記載の画像処理装置。
【請求項９】
前記画像作成部は、印刷太りが生じる階調値を有し、前記分割画像の幅方向においてレンズ間境界に接する画素を補正し、当該画素のドットの書込み位置を分割画像の幅方向中心に寄せる、
請求項１に記載の画像処理装置。
【請求項１０】
前記画像作成部は、印刷太りが生じる階調値を有し、前記分割画像の幅方向において視点間境界に接する画素を補正し、当該画素のドットの書込み位置を分割画像の幅方向中心に寄せる、
請求項１又は９に記載の画像処理装置。
【請求項１１】
複数の視点画像を、視点画像の数及びレンチキュラーレンズの幅に応じてそれぞれ分割し、各視点画像の分割画像を交互に配置する工程と、
各分割画像の幅が印刷によって拡大するか否かを判断し、拡大すると判断された分割画像を補正して幅を小さくする工程と、
を含む画像処理方法。
【発明の詳細な説明】
【技術分野】
【０００１】
本発明は、画像処理装置及び画像処理方法に関する。
【背景技術】
【０００２】
レンチキュラーレンズを介して観察することにより、立体視できる画像が広く利用されている。立体視用の画像は、異なる視点から被写体を表した複数の視点画像が帯状に分割され、交互に配置されて印刷されている（例えば、特許文献１参照）。左右の眼がレンチキュラーレンズを介して、分割された視点画像のそれぞれをとらえると、各視点画像の視差により、観察者は立体像を観察することができる。
【０００３】
レンチキュラーレンズを用いた視覚効果は、立体視だけではない。異なる被写体を表す視点画像を用いれば、観察方向によって変化する被写体を観察できる。また、被写体の位置が異なる視点画像を用いれば、観察方向によって動く被写体を観察することができる。これらの視覚効果はチェンジングと呼ばれ、チェンジング用に作成された画像も立体視と同様に広く利用されている。
【先行技術文献】
【特許文献】
【０００４】
【特許文献１】特開２００３−４７０２７号公報
【発明の概要】
【発明が解決しようとする課題】
【０００５】
上述したような視覚効果を実現するためには、レンチキュラーレンズの幅に合わせて各視点画像を分割し、各レンチキュラーレンズに対してすべての視点画像の分割画像を配置する必要がある。
しかしながら、印刷時にドットゲイン等を原因とする印刷太りが発生し、分割画像の幅が本来の幅より拡大することがある。幅の拡大により、分割画像とレンチキュラーレンズの位相がずれると、立体視等ができないか、できても観察像がぼやける等、視覚効果が低下する。
【０００６】
本発明の課題は、印刷による視覚効果の低下を抑えることである。
【課題を解決するための手段】
【０００７】
請求項１に記載の発明によれば、
複数の視点画像を、視点画像の数及びレンチキュラーレンズの幅に応じてそれぞれ分割し、各視点画像の分割画像を交互に配置する画像作成部を備え、
前記画像作成部は、各分割画像の幅が印刷によって拡大するか否かを判断し、拡大すると判断された分割画像を補正して幅を小さくする、
画像処理装置が提供される。
【０００８】
請求項２に記載の発明によれば、
前記画像作成部は、印刷太りが生じる階調値を有し、前記分割画像の幅方向においてレンズ間境界に接する画素を補正し、当該画素の階調値を減じる、
請求項１に記載の画像処理装置が提供される。
【０００９】
請求項３に記載の発明によれば、
前記画像作成部は、印刷太りが生じる階調値を有し、前記分割画像の幅方向において視点間境界に接する画素を補正し、当該画素の階調値を減じる、
請求項１又は２に記載の画像処理装置が提供される。
【００１０】
請求項４に記載の発明によれば、
前記画像作成部は、印刷太りが生じる階調値未満まで前記階調値を減じる、
請求項２又は３に記載の画像処理装置が提供される。
【００１１】
請求項５に記載の発明によれば、
前記画像作成部は、前記階調値のすべてを減じる、
請求項２又は３に記載の画像処理装置が提供される。
【００１２】
請求項６に記載の発明によれば、
前記画像作成部は、隣接する他の分割画像の階調値に合わせて前記階調値を減じる、
請求項２又は３に記載の画像処理装置が提供される。
【００１３】
請求項７に記載の発明によれば、
前記画像作成部は、元の階調値と補正後の階調値の差分を、前記分割画像の幅方向中央に位置する画素に分配する、
請求項２〜６の何れか一項に記載の画像処理装置が提供される。
【００１４】
請求項８に記載の発明によれば、
前記画像作成部は、色毎に減じる階調値を調整する、
請求項２〜７の何れか一項に記載の画像処理装置が提供される。
【００１５】
請求項９に記載の発明によれば、
前記画像作成部は、印刷太りが生じる階調値を有し、前記分割画像の幅方向においてレンズ間境界に接する画素を補正し、当該画素のドットの書込み位置を分割画像の幅方向中心に寄せる、
請求項１に記載の画像処理装置が提供される。
【００１６】
請求項１０に記載の発明によれば、
前記画像作成部は、印刷太りが生じる階調値を有し、前記分割画像の幅方向において視点間境界に接する画素を補正し、当該画素のドットの書込み位置を分割画像の幅方向中心に寄せる、
請求項１又は９に記載の画像処理装置が提供される。
【００１７】
請求項１１に記載の発明によれば、
複数の視点画像を、視点画像の数及びレンチキュラーレンズの幅に応じてそれぞれ分割し、各視点画像の分割画像を交互に配置する工程と、
各分割画像の幅が印刷によって拡大するか否かを判断し、拡大すると判断された分割画像を補正して幅を小さくする工程と、
を含む画像処理方法が提供される。
【発明の効果】
【００１８】
本発明によれば、印刷によって拡大する分割画像の幅を小さくし、分割画像とレンチキュラーレンズの位相のずれを小さくすることができる。観察すべき視点画像のずれを抑えて、印刷による視覚効果の低下を抑えることができる。
【図面の簡単な説明】
【００１９】
【図１】第１の実施の形態に係る画像処理装置を備えた印刷装置の機能ブロック図である。
【図２】立体視の原理を説明する図である。
【図３】（ａ）印刷太りが生じていないときの分割画像の幅を示す図である。（ｂ）印刷太りが生じたときの分割画像の幅を示す図である。
【図４】印刷太りの測定チャート例を示している。
【図５】画像作成部が印刷太りを測定する処理のフローチャートである。
【図６】印刷太りの測定結果を示している。
【図７】第１の実施の形態に係る画像作成部が、レンチキュラーレンズ用の画像を作成する処理のフローチャートである。
【図８】２つの視点画像から作成されたレンチキュラーレンズ用の画像を示している。
【図９】（ａ）１つのレンチキュラーレンズに対し、２つの視点画像が５画素単位で分割され、配置された例を示している。（ｂ）１つのレンチキュラーレンズに対し、２つの視点画像が３画素単位で分割され、配置された例を示している。
【図１０】（ａ）２つのレンチキュラーレンズに対して配置された分割画像を示している。（ｂ）レンズ間境界及び視点間境界に接する画素の階調値のすべてが減じられた例を示している。（ｃ）レンズ間境界及び視点間境界に接する画素の階調値が、印刷太りが生じる階調値未満まで減じられた例を示している。
【図１１】（ａ）視点間境界における印刷太りの影響を説明する図である。（ｂ）レンズ間境界における印刷太りの影響を説明する図である。
【図１２】レンチキュラーレンズ用の画像を作成する処理の変形例を示すフローチャートである。
【図１３】第２の実施の形態に係る画像作成部が、レンチキュラーレンズ用の画像を作成する処理のフローチャートを示している。
【図１４】（ａ）ドットの書込み位置が中央に設定された場合の印刷結果を示している。（ｂ）ドットの書込み位置が幅方向中心に寄せて設定された場合の印刷結果を示している。
【発明を実施するための形態】
【００２０】
以下、図面を参照して、本発明の画像処理装置及び画像処理方法の実施の形態について説明する。
【００２１】
〔第１の実施の形態〕
図１は、印刷装置１０の機能ブロック図である。
印刷装置１０は、図１に示すように、制御部１１、通信部１２、記憶部１３、操作部１４、表示部１５、スキャナー１６、印刷部１７、第１の実施の形態に係る画像処理装置２０を備えている。
【００２２】
制御部１１は、ＣＰＵ（Central Processing Unit）、ＲＡＭ（Random Access Memory）等を備えている。制御部１１は、記憶部１３に記憶されているプログラムを読み出し、当該プログラムに従って、印刷装置１０の各部の動作を制御し、印刷処理等の各種処理を実行する。
【００２３】
通信部１２は、ネットワーク上のコンピューター端末と通信する。通信部１２は、コンピューター端末からＰＤＬ（Page Description Language）データを受信し、画像処理装置２０に出力する。
【００２４】
記憶部１３は、制御部１１が読み取り可能なプログラム、ファイル等を記憶している。記憶部１３としては、例えばハードディスク等を用いることができる。
また、記憶部１３は、印刷太りの測定チャートを記憶している。
【００２５】
操作部１４は、操作キーや表示部１５と一体に構成されたタッチパネル等を備え、これらの操作に応じた操作信号を制御部１１に出力する。
表示部１５は、制御部１１の指示に従って操作画面等を表示する。
【００２６】
スキャナー１６は、原稿をスキャンし、アナログ画像信号を生成する。スキャナー１６は、アナログ画像信号をＡ／Ｄ変換し、生成された画像データを画像処理装置２０に出力する。
【００２７】
印刷部１７は、画像処理装置２０から入力された画像データを印刷処理する。
具体的には、印刷部１７は、ＰＷＭ（Pulse Width Modulation）変換回路により画像データをＰＷＭ変換し、露光用のパルスを生成する。ドットの書込み位置を示すタグデータが画像データに付加されている場合、印刷部１７は、タグデータに示されたドットの書込み位置に従ってパルス位置を調整する。この露光用のパルスに従って、印刷部１７は帯電させた感光ドラムを露光し、現像してトナー像を形成する。このようにして形成されたＣ（シアン）、Ｍ（マジェンタ）、Ｙ（イエロー）、Ｋ（黒）の各色のトナー像を、印刷部１７は中間転写ベルト上に重ねて転写し、さらに用紙上に転写して定着処理する。
【００２８】
画像処理装置２０は、図１に示すように、ＲＩＰ（Raster Image Processer）部２１、階調補正部２２、画像メモリー２３、中間調処理部２４、画像作成部２５を備えている。
【００２９】
ＲＩＰ部２１は、通信部１２から入力されたＰＤＬデータをラスタライズ処理し、Ｃ、Ｍ、Ｙ、Ｋの色毎にビットマップ形式の画像データを生成する。
ＲＩＰ部２１は、ラスタライズ処理において、ＰＤＬデータを解析して得られたディスプレイリストを元に、画像データの各画素の属性を示す属性データを生成することができる。ディスプレイリストは、オブジェクトの大きさ、色、属性等の情報を含む中間データである。属性には、文字（Text）、図形（Graphic）、写真（Image）がある。
【００３０】
階調補正部２２は、ＲＩＰ部２１により生成された画像データ、スキャナー１６により生成された画像データを階調補正処理する。なお、スキャナー１６により生成された画像データは、図示しない色変換処理部によりＲＧＢからＣＭＹＫの色空間へ色変換処理されている。
階調補正処理において、階調補正部２２は、各階調値に対し、補正後の階調値が定められたＬＵＴを用いて、画像データの各階調値に対応する補正値を取得し、この補正値からなる画像データを出力する。
【００３１】
画像メモリー２３は、入力された画像データを保持する。画像メモリー２３としては、例えばＤＲＡＭ（Dynamic RAM）等を用いることができる。
画像メモリー２３は、制御部１１の指示に応じて、保持している画像データを画像作成部２５又は中間調処理部２４に出力する。
【００３２】
中間調処理部２４は、画像メモリー２３から入力された画像データを、中間調処理する。
中間調処理の手法は特に限定されず、スクリーン処理であってもよいし、誤差拡散処理であってもよい。
中間調処理された画像データは、印刷部１７に出力される。
【００３３】
画像作成部２５は、複数の視点画像を、視点画像の数及びレンチキュラーレンズの幅に応じてそれぞれ分割し、各視点画像の分割画像を交互に配置してレンチキュラーレンズ用の画像を作成することができる。画像を立体視する場合、異なる視点から被写体を表した画像を視点画像として用いることができる。
複数の視点画像の画像データは、他の画像データと同様に、階調補正処理を経て画像メモリー２３により保持されている。画像作成部２５は、画像メモリー２３から視点画像の画像データを入力し、作成されたレンチキュラーレンズ用の画像の画像データを画像メモリー２３に出力する。
【００３４】
図２を参照して、レンチキュラーレンズを用いた立体視の原理を説明する。
図２は、レンチキュラーレンズ用の画像Ｇと、画像Ｇ上に配置されたレンチキュラーレンズ５を示している。画像Ｇは、２つの視点画像の分割画像Ｌ、Ｒが交互に配置されている。分割画像Ｌと分割画像Ｒは幅が同じであり、分割画像Ｌ、Ｒを合わせた幅が１つのレンチキュラーレンズの幅と一致している。分割画像Ｒは右眼の視点から被写体を表し、分割画像Ｌは左眼の視点から被写体を表すので、各レンチキュラーレンズ５内の分割画像Ｒを右眼が、分割画像Ｌを左眼がとらえると、観察者は立体像を観察することができる。
【００３５】
チェンジングも立体視と同様の原理により得られる視覚効果である。チェンジングの場合、立体視のように視差を持つ視点画像を用いるのではなく、被写体が異なる画像や、被写体の位置を変化させた視点画像を用いる。このような視点画像を用いることにより、観察方向によって異なる被写体や、動く被写体を観察することができる。
【００３６】
印刷時にドットゲイン等を原因とする印刷太りが生じると、印刷された分割画像Ｌ、Ｒの幅は本来の幅より大きくなる。例えば、図３（ａ）に示すように同じ幅の分割画像Ｌ、Ｒが印刷されるべきところ、分割画像Ｒに印刷太りが生じると、図３（ｂ）に示すように分割画像Ｒの幅が拡大する。その結果、分割画像Ｒが隣接する分割画像Ｌ上に重なり、レンチキュラーレンズ５と各分割画像Ｌ、Ｒの位相がずれている。位相のずれが大きいと、図３（ｂ）に示すように左眼が分割画像Ｌではなく分割画像Ｒをとらえてしまい、観察される視点画像がずれるため、意図した視覚効果が得られない。立体視であれば、立体視自体が難しいか、立体視はできても観察像がぼやけることがある。チェンジングも同様に、被写体の変化や動きの観察が難しいか、観察できてもその観察像がぼやけることがある。
【００３７】
このような視覚効果の低下を抑えるため、画像作成部２５は、各分割画像の幅が印刷太りによって拡大するか否かを判断し、拡大すると判断された分割画像を補正して幅を小さくする。
【００３８】
次に、上述した印刷装置１０が、レンチキュラーレンズ用の画像を印刷するときの処理手順を説明する。
印刷装置１０は、スキャナー１６により視点画像が描かれた原稿をスキャンするか、通信部１２を介してコンピューター端末から視点画像のＰＤＬデータを受信して、ＲＩＰ部２１により複数の視点画像の画像データを取得する。次に、階調補正部２２により各視点画像を階調補正処理し、画像作成部２５により各視点画像からレンチキュラーレンズ用の画像を作成する。作成された画像を中間調処理部２４により中間調処理した後、印刷部１７により位置決め用のマークとともに用紙上に印刷する。印刷されたマークを基準に、印刷された画像上にレンチキュラーレンズを配置することにより、レンチキュラーレンズと画像の位相を精度良く合わせることができる。
【００３９】
上記画像作成部２５の具体的な処理手順を説明する。
画像作成部２５は、レンチキュラーレンズ用の画像の作成に先立って、印刷部１７によって生じる印刷太りを測定する。
測定時、記憶部１３に記憶されている印刷太りの測定チャートが、画像処理装置２０により階調補正処理、中間調処理された後、印刷部１７により印刷される。印刷太りの測定チャートは、例えば図４に示すように、階調値（％）が段階的に異なる帯画像が一定間隔で配置されている。印刷された測定チャートは、スキャナー１６によって読み取られ、その画像データが画像作成部２５に入力される。
【００４０】
図５は、測定チャートの画像データにより印刷太りを測定する画像作成部２５の処理手順を示している。
図５に示すように、画像作成部２５は入力された画像データを解析し、印刷された各階調値の帯画像の幅を測定する。画像作成部２５は、測定された幅が本来の幅より大きい場合、その拡大した幅を印刷太りとして測定する（ステップＳ１１）。
例えば、画像の解像度が６００dpiである場合、１画素は４２．３μｍである。階調値１００％の帯画像の幅が１０μｍ拡大していた場合、画像作成部２５は、μｍ単位を画素単位に換算し、１画素×１０μｍ／４２．３μｍ≒０．２４画素を、印刷太りの測定結果として出力する。
【００４１】
図６は、階調値毎に測定された印刷太り（単位：画素）を線形補間した図である。
図６に示すように、印刷太りは階調値が一定値以上になると発生し、その後は階調値が大きいほど印刷太りも大きくなる傾向がある。
【００４２】
画像作成部２５は、印刷太りの測定結果において、印刷太りが発生する階調値のうち、最小の階調値Ｄｔｈを決定する（ステップＳ１２）。
図６に示す測定結果の場合、階調値が０％から６０％までは印刷太りが生じず、６１％以上の階調値だと印刷太りが生じている。画像作成部２５は、印刷太りが生じる６１％以上の階調値のうち、最小の階調値６１％をＤｔｈとして決定する。
【００４３】
画像作成部２５は、決定された階調値Ｄｔｈを、印刷太りが生じるか否かを判断する際の閾値として設定する。
色によって印刷太りの特性が異なる場合、画像作成部２５は、Ｃ、Ｍ、Ｙ、Ｋの各色の測定チャートを用いて、上述した処理を実行し、色毎に閾値Ｄｔｈを設定する。
印刷太りの特性は、経時や環境変化、キャリブレーション等によって変動することもある。最新の印刷太りの特性に対応するため、画像作成部２５は、図５に示す処理を任意に又は定期的に実行し、閾値Ｄｔｈを更新することが好ましい。
【００４４】
図７は、画像作成部２５がレンチキュラーレンズ用の画像を作成する処理手順を示している。
図７に示すように、画像作成部２５は、複数の視点画像をそれぞれ分割し、交互に配置してレンチキュラーレンズ用の画像を作成する（ステップＳ２１）。
図８に示すように、２つの視点画像Ｒ、Ｌがある場合、画像作成部２５は、それぞれの分割画像Ｒ１〜Ｒｎ、Ｌ１〜Ｌｎを交互に並べて合成し、画像Ｇを作成する。画像Ｇには、すべての分割画像Ｒ１〜Ｒｎ、Ｌ１〜Ｌｎを用いるのではなく、適宜間引きして用いることができる。例えば、図８に示すように分割画像Ｌ２、Ｒ２を間引き、分割画像Ｌ１、Ｒ１の次に分割画像Ｌ３、Ｒ３を配置することができる。
３以上の視点画像を用いる場合、画像作成部２５は各視点画像の分割画像を所定の順番に配置する。所定の順番は、例えば立体視の場合、視点画像の視点が左眼と右眼間で移り変わる順であり、チェンジングの場合、視点画像中の被写体の動きや変化を表す順である。
【００４５】
視点画像を分割する際、画像作成部２５は、視点画像の数とレンチキュラーレンズの幅に応じて分割する。視点画像の数をｍ、レンチキュラーレンズの幅をｗ１、分割画像の幅をｗ２で表すと、ｗ２＝ｗ１／ｍである。
例えば、上記視点画像Ｒ、Ｌの解像度が６００dpi、レンチキュラーレンズのレンズ数が６０lpiである場合、図９（ａ）に示すように１つのレンチキュラーレンズの幅ｗ１は１０画素（６００dpi／６０lpi）に相当する。１つのレンチキュラーレンズ内に配置される視点画像数ｍは２であるので、分割画像Ｒ１、Ｌ１の幅ｗ２は１０画素／２＝５画素である。画像作成部２５は、各視点画像Ｒ、Ｌをレンチキュラーレンズの幅方向に５画素単位で分割する。
レンチキュラーレンズのレンズ数が１００lpiの場合、図９（ｂ）に示すように１つのレンチキュラーレンズの幅ｗ１は６画素（６００dpi／１００lpi）に相当する。分割画像Ｒ１、Ｌ１の幅ｗ２は、６画素／２＝３画素であるので、画像作成部２５は各視点画像Ｒ、Ｌを３画素単位で分割する。
【００４６】
画像作成部２５は、作成された画像を１画素ずつ走査し、注目画素がレンズ間境界に接する画素であるか否かを判断する（ステップＳ２２）。レンズ間境界に接しない場合、視点間境界に接する画素であるか否かを判断する（ステップＳ２３）。
分割画像の幅方向の両端に位置する画素はすべて、レンズ間境界又は視点間境界の何れかに接している。レンズ間境界とは、隣接する２つのレンチキュラーレンズ間の境界である。視点間境界とは、レンチキュラーレンズ内で隣接する２つの分割画像間の境界である。
【００４７】
注目画素がレンズ間境界に接する場合（ステップＳ２２；Ｙ）、画像作成部２５は、注目画素の階調値Ａを閾値Ｄｔｈと比較し、印刷太りが生じるか否かを判断する（ステップＳ２４）。
また、注目画素がレンズ間境界に接しないが（ステップＳ２２；Ｎ）、視点間境界に接する場合（ステップＳ２３；Ｙ）も同様に、画像作成部２５は、注目画素の階調値Ａを閾値Ｄｔｈと比較し、印刷太りが生じるか否かを判断する（ステップＳ２４）。
【００４８】
上述のように、レンズ間境界又は視点間境界の何れかに接する画素は、分割画像の幅方向の端部に位置している。この幅方向の端部に位置する画素が、印刷太りが生じる階調値Ａを有する場合、分割画像の幅が拡大する。よって、階調値ＡがＤｔｈ≦Ａを満たす場合、画像作成部２５は注目画素において印刷太りが生じ、分割画像の幅が拡大すると判断する（ステップＳ２４；Ｙ）。画像作成部２５は、注目画素の階調値Ａを減じて印刷太りが生じる階調値未満、つまりＤｔｈ未満の階調値に補正する（ステップＳ２５）。
印刷太りが生じる階調値未満の階調値であれば、どれだけ減じるかは適宜決定することができる。例えば、印刷太りの防止を優先するのであれば、階調値をすべて減じて階調値０に補正することができる。画像の再現性を考慮するのであれば、すべて減じるのではなく、印刷太りが生じない最大の階調値Ｄｔｈ−１まで減じることができる。
【００４９】
図１０（ａ）は、２つのレンチキュラーレンズ内にそれぞれ配置された分割画像Ｌ１、Ｒ１、Ｌ３、Ｒ３を示している。レンズ間境界を点線、視点間境界を１点鎖線で表している。分割画像Ｌ１、Ｒ１、Ｌ３、Ｒ３は５画素幅であり、分割画像Ｒ１の各画素は何れもＤｔｈ≦Ａを満たす階調値Ａを持つ。
図１０（ｂ）は、上記分割画像Ｒ１において、レンズ間境界又は視点間境界に接している幅方向両端の画素の階調値Ａをすべて減じて０とした例を示している。分割画像Ｒ１の幅が５画素幅から３画素幅に小さくなっている。
図１０（ｃ）は、階調値Ａを印刷太りが生じない階調値Ｄｔｈ−１まで減じた例を示している。幅方向の両端で印刷太りが生じないため、印刷によって分割画像Ｒ１の幅が拡大することがなく、補正前よりも分割画像Ｒ１の幅を小さくすることができる。階調値をすべて減じているわけではないため、画像の再現性も高い。
【００５０】
画像作成部２５は、元の階調値Ａと、補正後の階調値の差分を、注目画素と同じ分割画像の他の画素に分配する（ステップＳ２６）。補正による誤差を分配することにより、画像の再現性を向上させることができる。
幅方向両端における印刷太りを防ぐ観点から、他の画素のなかでも、分割画像の幅方向の両端を除く中央部分の画素に分配することが好ましい。５画素幅の上記分割画像Ｒ１の例でいえば、差分を中央３画素に分配すればよい。
【００５１】
一方、注目画素がレンズ間境界又は視点間境界の何れにも接しない場合（ステップＳ２２；Ｎ、Ｓ２３；Ｎ）か、何れかに接するが、階調値ＡがＡ＜Ｄｔｈを満たし、印刷太りが生じない場合（ステップＳ２４；Ｎ）、画像作成部２５は分割画像の幅が拡大しないと判断する。画像作成部２５は、上述した階調値の補正は行わず、ステップＳ２７の処理に移行する。
【００５２】
画像作成部２５は、全画素を走査済みでない場合（ステップＳ２７；Ｎ）、全画素を走査し終えるまで、走査位置を１画素シフトし（ステップＳ２８）、シフト後の注目画素について上述したステップＳ２２〜Ｓ２７の処理を繰り返す。全画素の走査を終了すると（ステップＳ２７；Ｙ）、本処理を終了する。
【００５３】
画像作成部２５は、上述した処理を、Ｃ、Ｍ、Ｙ、Ｋの各色の閾値Ｄｔｈを用いて色毎に実行する。
画像作成部２５は、Ｃ、Ｍ、Ｙ、Ｋの色毎に、減じる階調値を調整することが好ましい。
色によって視覚感度が異なり、印刷太りが生じても知覚される程度が異なる。各色の視覚感度に応じて減じる階調値を調整することにより、画像の再現性を考慮した補正が可能である。
例えば、視覚感度が低いＹは、印刷太りが生じても知覚されにくいので、階調値を減じる補正はせずに元画像を保持する。Ｃ、Ｍであれば、階調値Ｄｔｈ−１に補正し、補正による元画像との誤差を最小限に抑える。視覚感度が高いＫは、印刷太りが知覚されやすいので、階調値を０に補正し、印刷太りを防止する。
【００５４】
以上のように、第１の実施の形態によれば、画像処理装置２０は、複数の視点画像を、視点画像の数及びレンチキュラーレンズの幅に応じてそれぞれ分割し、各視点画像の分割画像を交互に配置する画像作成部２５を備えている。画像作成部２５は、分割画像の幅方向においてレンズ間境界又は視点間境界に接する画素が、印刷太りが生じる階調値を有する場合、分割画像の幅が印刷によって拡大すると判断する。画像作成部２５は、当該画素を補正して印刷太りが生じる階調値未満まで階調値を減じ、分割画像の幅を小さくする。
【００５５】
これにより、印刷によって分割画像の幅が拡大することを防ぐことができ、分割画像とレンチキュラーレンズの位相を一致させることができる。観察すべき視点画像のずれを無くして、視覚効果の低下を防止することができる。
【００５６】
〔変形例１〕
上述した実施の形態では、レンズ間境界だけでなく、視点間境界に接する画素を補正し、幅方向両端における印刷太りを防止する例を挙げている。画像の再現性を考慮するのであれば、レンズ間境界又は視点間境界の何れか一方に接する画素のみ補正の対象とし、視覚効果の低下を抑えながらも、補正を最小限として画像の再現性を向上させることもできる。
視覚効果に対する印刷太りの影響は、視点間境界よりもレンズ間境界の方が大きいことから、画像作成部２５が、少なくともレンズ間境界に接する画素を補正することが好ましい。
【００５７】
視点間境界とレンズ間境界における印刷太りの影響の違いを説明する。
図１１（ａ）、図１１（ｂ）は、２つのレンチキュラーレンズ１、２に対し、５つの視点画像の分割画像ａ〜ｅがそれぞれ配置され、各分割画像ａ〜ｅが３画素幅である例を示している。各分割画像ａ〜ｅは、視点画像の被写体を表す視点が左眼から右眼へと移り変わるように、分割画像ａ、ｂ、ｃ、ｄ、ｅの順に配置されている。例えば、レンチキュラーレンズ２を介して、観察者の右眼が分割画像ｃ、左眼が分割画像ａを観察することにより、立体視が可能となる。
【００５８】
図１１（ａ）に示すように、レンチキュラーレンズ２内において、分割画像ｄの画素に印刷太りが発生すると、視点間境界を超えて分割画像ｄの幅が拡大し、分割画像ｃ上に重なる。その結果、右眼は分割画像ｃではなく分割画像ｄをとらえ、右眼が観察する視点画像がずれてしまう。
一方、図１１（ｂ）に示すように、レンチキュラーレンズ１内の分割画像ｅの画素に印刷太りが発生すると、レンズ間境界を超えて分割画像ｅの幅が拡大し、レンチキュラーレンズ２内の分割画像ａ上に重なる。その結果、左眼は分割画像ａではなく分割画像ｅをとらえ、左眼が観察する視点画像がずれてしまう。
【００５９】
何れの場合も観察された視点画像が、本来観察されるべき視点画像からずれている。しかし、各分割画像ａ〜ｅは、視点画像の視点が左眼から右眼へと移り変わる順に配置されていることから、本来観察されるべき視点画像と、ずれて観察された視点画像との視差は、視点間境界よりもレンズ間境界を超えてずれたときの方が大きい。
視点間境界を超えてずれた場合、ずれて観察された視点画像は、本来観察されるべき視点画像と視点が隣り合っており、視差が小さいため、観察像がぼやける等の影響はあるが、立体視は可能である。一方、レンズ間境界を超えてずれた場合、ずれて観察された視点画像は本来観察されるべき視点画像と視点がかけ離れており、視差が大きい。立体視自体が難しくなり、視点間境界を超えてずれた場合よりも視覚効果の低下も大きい。
よって、上述のように、少なくともレンズ間境界における印刷太りを抑えることにより、視覚効果の低下も大きく抑えることができる。
【００６０】
立体視の例で説明したが、チェンジングの場合も同様である。チェンジングの場合、各視点画像の分割画像は、被写体の動きや変化を表す順に配置されている。よって、観察された視点画像がレンズ間境界を超えてずれると、動きや変化の順に被写体を観察することが難しい。その結果、被写体の動きや切り替わり自体が観察できない等、視点間境界を超えたときのずれよりも視覚効果の低下が大きくなることから、少なくともレンズ間境界における印刷太りを抑えることが好ましい。
【００６１】
〔変形例２〕
図７に示す処理によれば、印刷太りが生じると判断された画素は、階調値ＡがＤｔｈ未満まで減じられるが、階調値の減少が大きいほど画像の再現性が低くなる。画像の再現性を考慮して、図１２に示す処理に代えることもできる。
【００６２】
図１２に示すように、画像作成部２５はレンチキュラーレンズ用の画像を作成し（ステップＳ３１）、当該画像を１画素ずつ走査して、注目画素がレンズ間境界又は視点間境界に接するか否かを判断する（ステップＳ３２、Ｓ３３）。注目画素がレンズ間境界又は視点間境界に接する場合（ステップＳ３２；Ｙ、Ｓ３３；Ｙ）、画像作成部２５は印刷太りが生じるか否かを判断する（ステップＳ３４）。このステップＳ３１〜Ｓ３４の処理は、図７のステップＳ２１〜Ｓ２４と同じ処理内容である。
【００６３】
印刷太りが生じる場合（ステップＳ３４；Ｙ）、画像作成部２５は、注目画素とレンズ間境界又は視点間境界を介して隣接する他の分割画像の画素を検出する（ステップＳ３５）。画像作成部２５は、検出された隣接画素の階調値Ｂが、Ｄｔｈ≦Ｂ＜Ａを満たす場合（ステップＳ３６；Ｙ）、注目画素の階調値Ａを減じて階調値Ｂに補正する（ステップＳ３７）。一方、階調値ＢがＤｔｈ≦Ｂ＜Ａを満たさない場合（ステップＳ３６；Ｎ）、階調値Ａを減じて階調値Ｄｔｈ−１に補正する（ステップＳ３８）。
その後、図７のステップＳ２６〜Ｓ２８と同様にして、画像作成部２５は、ステップＳ３９〜Ｓ４１の処理を実行する。
【００６４】
このように、注目画素の階調値Ａ（Ｄｔｈ≦Ａ）を、閾値Ｄｔｈ以上階調値Ａ未満の隣接画素の階調値Ｂに合わせて減じることにより、拡大する分割画像の幅を小さくすることができる。分割画像とレンチキュラーレンズの位相のずれを小さくして、観察すべき視点画像のずれを抑えることができ、視覚効果の低下の抑制が可能となる。また、元の階調値Ａと補正後の階調値の誤差を小さくすることができ、補正による画像の再現性の低下を抑えることが可能である。
【００６５】
〔第２の実施の形態〕
第２の実施の形態に係る画像処理装置は、ドットの書込み位置を調整することにより、印刷太りにより拡大すると判断された分割画像の幅を小さくする。
第２の実施の形態に係る画像処理装置は、図１に示された第１の実施の形態に係る画像処理装置２０と同じ構成であり、印刷装置１０に搭載されている。同じ構成部には同じ符号を付し、第２の実施の形態に特徴的な画像作成部２５の処理手順のみ説明する。
【００６６】
図１３は、画像作成部２５が、レンチキュラーレンズ用の画像を作成する処理手順を示している。
なお、第２の実施の形態においても、前もって画像作成部２５が印刷太りを測定する処理（図５参照）を実行し、閾値Ｄｔｈを設定している。
【００６７】
図１３に示すように、画像作成部２５はレンチキュラーレンズ用の画像を作成し（ステップＳ５１）、当該画像を１画素ずつ走査して、注目画素がレンズ間境界又は視点間境界に接するか否かを判断する（ステップＳ５２、Ｓ５３）。注目画素がレンズ間境界又は視点間境界に接する場合（ステップＳ５２；Ｙ、Ｓ５３；Ｙ）、画像作成部２５は印刷太りが生じるか否かを判断する（ステップＳ５４）。このステップＳ５１〜Ｓ５４の処理は、図７のステップＳ２１〜Ｓ２４と同じ処理内容である。
【００６８】
注目画素がレンズ間境界又は視点間境界に接し（ステップＳ５２；Ｙ、Ｓ５３；Ｙ）、印刷太りが生じる場合（ステップＳ５４；Ｙ）、画像作成部２５は、注目画素のドットの書込み位置を、分割画像の幅方向中心に寄せて決定する（ステップＳ５５）。書込み位置には、中央、左寄せ、右寄せがあるが、画像作成部２５は、分割画像の幅方向中心に合わせて左寄せ又は右寄せに決定する。画像作成部２５は、決定されたドットの書込み位置を、画像データのタグデータに設定する。
【００６９】
注目画素がレンズ間境界又は視点間境界の何れにも接しないか（ステップＳ５２；Ｎ、Ｓ５３；Ｎ）、何れかに接するが印刷太りが生じない場合（ステップＳ５４；Ｎ）、画像作成部２５は注目画素のドットの書込み位置を中央に決定する（ステップＳ５６）。画像作成部２５は、決定されたドットの書込み位置を、画像データのタグデータに設定する。
その後、図７のステップＳ２７、Ｓ２８と同様にして、画像作成部２５はステップＳ５７、Ｓ５８の処理を実行する。
【００７０】
図１４（ａ）、（ｂ）は、レンズ間境界に接する５画素幅の分割画像の一部を示している。点線はレンズ間境界を表している。
階調値６１％以上で印刷太りが生じる場合、レンズ間境界に接する画素が、階調値６１％以上の階調値を有する場合、印刷によって１画素分の大きさを超えるドットが書き込まれる。
ドットの書込み位置が中央である場合、ドットの拡大により、図１４（ａ）に示すように、レンズ間境界を超えて分割画像の幅が拡大する。
上述した補正が行われた場合、図１４（ｂ）に示すように、ドットの書込み位置が分割画像の幅方向中心ｐに寄せられ、左寄せの書込み位置に設定される。印刷時に印刷太りが生じると、ドットは拡大するが、ドットの位置は幅方向中心ｐに寄せられているため、レンズ間境界を超えるドット部分をなくすか、小さくすることができる。すなわち、レンズ間境界を超えて拡大する分割画像の幅を小さくすることができる。
【００７１】
以上のように、第２の実施の形態によれば、画像処理装置２０は、複数の視点画像を、視点画像の数及びレンチキュラーレンズの幅に応じてそれぞれ分割し、各視点画像の分割画像を交互に配置する画像作成部２５を備えている。画像作成部２５は、分割画像の幅方向においてレンズ間境界又は視点間境界に接する画素が、印刷太りが生じる階調値を有する場合、分割画像の幅が印刷によって拡大すると判断する。画像作成部２５は、当該画素を補正し、ドットの書込み位置を分割画像の幅方向中心に寄せ、分割画像の幅を小さくする。
【００７２】
これにより、印刷によって拡大する分割画像の幅を小さくすることができ、分割画像とレンチキュラーレンズの位相を一致させるか、ずれがあっても小さくすることができる。観察すべき視点画像のずれを抑えて、視覚効果の低下を抑えることができる。
【００７３】
なお、第１の実施の形態と同様に、レンズ間境界又は視点間境界の何れか一方に接する画素のみ、補正の対象とすることもできるが、画像作成部２５が、少なくともレンズ間境界に接する画素を補正することが好ましい。
【００７４】
上記第１及び第２の実施の形態は本発明の好適な一例であり、これに限定されない。本発明の主旨を逸脱しない範囲で適宜変更可能である。
例えば、文字は明瞭に再現されることが望まれ、印刷太りが大きく影響するが、図形や写真は文字ほどの影響がない。よって、補正の対象とされた画素のなかでも、文字の属性を有する画素のみ補正の対象としてもよい。これにより、文字がぼやける等の視覚効果の低下を抑え、図形や写真は画像の再現性を維持することができる。
【００７５】
また、画像作成部２５の処理内容をプログラム化し、制御部１１等のハードウェアがこのプログラムを読み取ることにより、その処理内容を実行することとしてもよい。プログラムのコンピューター読み取り可能な媒体としては、ＲＯＭ、フラッシュメモリー等の不揮発性メモリー、ＣＤ-ＲＯＭ等の可搬型記録媒体を適用することが可能である。また、プログラムのデータを、通信回線を介して提供する媒体として、キャリアウエーブ(搬送波)も適用できる。
【符号の説明】
【００７６】
１０    印刷装置
１１    制御部
１６    スキャナー
１７    印刷部
２０    画像処理装置
２１    ＲＩＰ部
２２    階調補正部
２３    画像メモリー
２４    中間調処理部
２５    画像作成部
【図１】
2014041220.tif 000003
【図２】
2014041220.tif 000004
【図３】
2014041220.tif 000005
【図５】
2014041220.tif 000006
【図６】
2014041220.tif 000007
【図７】
2014041220.tif 000008
【図８】
2014041220.tif 000009
【図９】
2014041220.tif 000010
【図１０】
2014041220.tif 000011
【図１１】
2014041220.tif 000012
【図１２】
2014041220.tif 000013
【図１３】
2014041220.tif 000014
【図１４】
2014041220.tif 000015
【図４】
2014041220.tif 000016